(57)【特許請求の範囲】
【請求項１】
シート状材料の一端から他端に向けて順次、左側板（２）と前板（３）と右側板（４）と後ろ板（５）と左内側板（６）と内前板（７）と右内側板（８）の七面を連接し、左右の側板（２．４）の上下に中蓋板（２1．２2．４1．４2 ）を連接し、前板（３）面に三辺が切り離され下辺を軸とする開閉可能な前蓋片（３3 ）を設け、上下に蓋板（３1．３2 ）と差し込み板（３11．３21）を連接し、後ろ板（５）の下に後ろ折り込み板（５2 ）と底板（５21）と前折り込み片（５211 ）を順次連接し、底板（５21）の左右に側折り込み片（５21A．５21B ）を連接し、左右の内側板（６．８）に中折り込み板（６2．８2 ）を連接し、内前板（７）面に上辺が切り離され下辺を軸とする開閉可能な内前蓋片（７3 ）を設け、その内前蓋片に連接し左右の内側板（６．８）面の袖片（６3．８3 ）を切り離して、左右の内側板と内前板の三面に跨がる引出しを形成し、袖片（６3．８3 ）の袖端には鍵状の切り抜き（６4．８4 ）による鍵（６31．８31）を形成し、各連接部の折り曲げ状況に合わせて押し罫と切り刃と半切り罫を単独か組み合わせた何れかを配した構成とし、左側板（２）に始まり右内側板（８）に終わる七面を順次山折りにして、左側板（２）の裏側に左内側板（６）の表側を、前板（３）の裏側に内前板（７）の表側を、右側板（４）の裏側に右内側板（８）の表側を重ね、左側板（２）と左内側板（６）を接着剤で止めて三面が二重構造の胴体を形成し、中折り込み板（６2．８2 ）を左右の内側板（６．８）の内面に接着剤で止め、後ろ板（５）の下に連接する後ろ折り込み板（５2 ）を山折りし、底板（５21）の周囲に連なり連接方向の幅に差を持たせた後ろ折り込み板（５2 ）と前折り込み片（５211 ）並びに左右の側折り込み片（５21A．５21B ）を谷折りして胴体下部に挿入して勾配付き上げ底を形成し、左右の側板（２．４）の下に連接した中蓋板（２2．４2 ）を折り込み、同様に前板（３）の下に連接した蓋板（３2 ）と差し込み板（３21）を順次山折りして、差し込み板（３21）を前記胴体に挿入し、左右の側板（２．４）の上に連接した中蓋板（２1．４1 ）を折り込み、同様に前板（３）の上に連接した蓋板（３1 ）と差し込み板（３11）を順次山折りして、差し込み板（３11）を前記胴体に挿入することにより、胴体三面を二重壁とし上げ底付で、前記二重壁に設けた前蓋片（３3 ）と内前蓋片（７3 ）を前方に開閉すると、左右の内側板と内前板の三面に跨がる内前蓋片と袖片（６3．８3 ）からなる引き出しが開口（７4 ）から出入りすることを特徴とする引き出しと底緩衝機能付組箱。
【請求項２】
左右の側板（２．４）と左右の内側板（６．８）と中折り込み板（６2．８2 ）による三重構造において、左右の側板（２．４）と中折り込み板（６2．８2 ）に挟まれる左右の内側板（６．８）が袖片（６3．８3 ）と切り抜き（６4．８4 ）を除いた空間を引き出しの袖片（６3.８3 ）の案内に利用したことを特徴とする請求項１に記載の引き出しと底緩衝機能付組箱。
【請求項３】
前蓋片（３3 ）の内部に開閉用引手（３31）を設け、袖片（６3．８3 ）を左右に備えた内前蓋片（７3 ）の上辺に引手（７31）を設け、開閉用引手（３31）と引手（７31）を挟み、前蓋片（３3 ）と内前蓋片（７3 ）を動かすことを特徴とする請求項１か２に記載の引き出しと底緩衝機能付組箱。
【発明の詳細な説明】
【０００１】
【発明の属する技術分野】
本発明は、紙やフィルム等の薄い材料で液体や顆粒や粉末等を包装した縦置きの難しい包装形態物を収納し、取り出しが容易で取り扱いに伴う衝撃を緩和する機能付組箱に関する。
【０００２】
【従来の技術】
包装にピロー形式を採用する例は数多く、包装後の形状自体も置き方に制限のない安定した内容物と置き方に制限のある不安定な内容物とがある。後者に属する物としては液体や顆粒や粉体等があり、特に液状もしくはゼリー状物質はスティック状に包装することが多く、縦置きをすると下方に内圧が集中し、僅かな外力が作用すると破れて内容物の漏出につながる。
【０００３】
スティック状包装体を多数収納する場合は、横置きとして段積みし取り出し方にも工夫を加えた収納箱を使用する。こうした収納箱は前面板の下方に幅一杯のチギリ蓋を取り付けたり、箱の下方で前面板から両側板の半ばに渡るチギリ蓋を取付けるか、内面に三面からなる中枠を挿入して取り出し口とし、スティック状包装体を取り出す仕組みとしている。
【０００４】
【発明が解決しようとする課題】
スティック状もしくは相当する包装体を段積みして取り出す場合は、箱の下方から取り出すためにチギリ式の蓋のない開口部を備えるが、この様な箱では収納した包装体が開口部から自然に排出し、少なくなると取り出し難いということの他に、開口部からゴミが入り易いことも挙げられ、特に売れ足の遅い商品では、この様な形式の箱では店頭に設置するには問題が多い。
【０００５】
【課題を解決するための手段】
本発明は既述の問題点を解決し、取扱が容易な引き出しと開口部の閉じ蓋を付け、取り扱い時の外力に対して緩衝機能を発揮する組箱の提供を目的とする。
【０００６】
本発明は、シート状材料の一端から他端に向けて順次、左側板と前板と右側板と後ろ板と左内側板と内前板と右内側板の七面を連接し、左右の側板の上下に中蓋板を連接し、前板面に三辺が切り離され下辺を軸とする開閉可能な前蓋片を設け、上下に蓋板と差し込み板を連接し、後ろ板の下に後ろ折り込み板と底板と前折り込み片を順次連接し、底板の左右に側折り込み片を連接し、左右の内側板に中折り込み板を連接し、内前板面に上辺が切り離され下辺を軸とする開閉可能な内前蓋片を設け、その内前蓋片に連接し左右の内側板面の袖片を切り離し、左右の内側板と内前板の三面に跨がる引出しを形成し、袖片の袖端には鍵状の切り抜きによる鍵を形成し、各連接部の折り曲げ状況に合わせて押し罫と切り刃と半切り罫を単独か組み合わせた何れかを配した構成とし、左側板（２）に始まり右内側板（８）に終わる七面を順次山折りにして、左側板の裏側に左内側板の表側を、前板の裏側に内前板の表側を、右側板の裏側に右内側板の表側を重ね、左側板と左内側板を接着剤で止めて三面が二重構造の胴体を形成し、中折り込み板を左右の内側板の内面に接着剤で止め、後ろ板の下に連接する後ろ折り込み板を山折りにし、底板の周囲に連なり連接方向の幅に差を持たせた後ろ折り込み板と前折り込み片並びに左右の側折り込み片を谷折りにして胴体下部に挿入して勾配付き上げ底を形成し、左右の側板の下に連接した中蓋板を折り込み、同様に前板の下に連接した蓋板と差し込み板を順次山折りにして、差し込み板を前記胴体に挿入し、左右の側板の上に連接した中蓋板を折り込み、同様に前板の上に連接した蓋板と差し込み板を順次山折りにして、差し込み板を前記胴体に挿入することにより、胴体三面を二重壁とし上げ底付で、前記二重壁に設けた前蓋片と内前蓋片を前方に開閉すると、左右の内側板と内前板の三面に跨がる内前蓋片と袖片からなる引き出しが開口からに出入りすることを特徴とする引き出しと底緩衝機能付組箱である。
【０００７】
【発明の実施の形態】
本発明は、一枚の板紙に全ての構成を展開したワンピースタイプで、組箱の胴体三面を二重として勾配付上げ底を備え、二重とした前板上に前蓋片を同じく内前板上に引き出しを設け、前蓋片の開封後に本前蓋片と引き出しを前に傾動して開口し、底の傾斜を利用して内部の包装体の取り出しを容易とし、前蓋片の戻り開きと引き出しの抜け出しの防止構造を備えると共に、上げ底により衝撃に対する緩衝機能を付与した構造の組箱である。
【０００８】
組箱は左右の側板と前板と後ろ板と左右の内側板と内前板からなる七面を山折りして、後ろ板部分が一重で他の部分が二重になるように組合せ、左側板と左内側板を接着して胴体を形成し、前記左右の内側板の内面に連接した中折り込み板を接着し、前記後ろ板部分の下に連接する部材を折り曲げ、各部材の下辺を前記胴体の下辺に合わせて、接着剤なしで下部開口に押し込み傾斜付の上げ底を形成すると、上げ底と下の蓋板等でなる部材との間に空気層が出来ると共に、接着部分の少ない二重壁の構造が各壁面の間に空気層を存在させるので緩衝機能をより向上する。
【０００９】
前板下方には、ワンタッチで開封を可能とするために三辺に切り刃（切断用罫線）を付与し下辺を軸として開閉する前蓋片を設け、同様に内前板と左右の内側板に展開した袖片付内前蓋片は、側板と内側板と中折り込み板による空間を袖片が動き、下辺を軸として出入りする引き出しの役割をなす。その引き出しの軸である下辺と上げ底の一端を同じ高さに置き、傾斜を付けて内部の包装体の取り出しを容易とし、開口部からの引き出しの飛び出しを防止する鍵状の抜け止めを引き出しの袖片の端に付け、前蓋片の戻り開きを内前板の開口部上端に設けた係止片で押え、各々に引手をつけて開閉し易くする。
【００１０】
この様な構造の組箱は、引き出しの開閉が極めて平滑に進み、前蓋片が開閉可能な状態で残り内壁に設けた開口部を覆うのでゴミの侵入を防ぎ、勾配付上げ底が内部の包装体を最後の一本もしくは一個まで取り出す事を可能とし、また構造的にワンピースである事に加えて接着剤の使用部分が少ないだけ製函機の構成も簡単になり、接着剤のはみ出しによる汚れの発生等もなくなる効果があり、製函機の構成を単純化する効果を得た。
【００１１】
【作用】
本発明になる引き出しと底緩衝機能付組箱は、勾配付上げ底により内部の包装体の動きを楽にし、二重壁部分の空気層の存在と上げ底の裏面に形成した空間とで緩衝機能が向上し、袖片の案内構造により引き出しの取扱が楽になり、且つ前蓋を係止片により止める密閉構造で防塵する。
【００１２】
【実施例】
図１は、引き出しと底緩衝機能付組箱１の展開図で、左側板２と前板３と右側板４と後ろ板５と左内側板６と内前板７と右内側板８との七面を順次連接し、左右の側板２．４の上下に中蓋板２1．２2．４1．４2 を連接し、前板３の上下に蓋板３1．３2 と差し込み板３11． ３21を連接し、前板３の下半分に上方三辺が切り離し可能で下辺を軸として開閉可能な引手３31と円弧状の突部３32を備えた前蓋片３3 を形成し、左右の内側板６．８の下方に中折り込み板６2．８2 を連接し、左内側板６と内前板７と右内側板８の三面に跨がり内前板の下辺以外を切り離した左右の袖片６3．８3 と引手７31を備えた内前蓋片７3 を形成し、内前板７の上辺に円弧状の開口７4 と係止片７5 を設け、左右の袖片６3．８3 の上に鍵状の切り抜き６4．８4 を設け、後ろ板５の下に後ろ折り込み板５2 と底板５21と前折り込み片５211 を連接し、該底板の左右に側折り込み片５21A．５21B を連接して、折り曲げ状況に合わせ押し罫以外に切り刃と半切り罫の各線を単独か組合せて連接部に配した構成である。
【００１３】
図２は本組箱１の組立図で、その組立は左側板２に始まり右内側板８に終わる七面を順次山折りして巻き込み、左側板２の内面と左内側板６の外面を接着剤で固定して、前面と左右の三面を二重構造とする胴体を形成する。その後、中折り込み板６2．８2 を左右の内側板６．８の内側に接着剤で固定し、後ろ板５の下の後ろ折り込み板５2 を山折りし、底板５21と前折り込み片５211 と左右の側折り込み片５21A．５21B を谷折りし、中蓋板２2．４2 を折り込み、蓋板３2 を山折りし、差し込み板３21を山折りして胴体内に挿入し、勾配付上げ底を形成する。その後、中蓋板２1．４1 を折り込み、蓋板３1 を山折りし、差し込み板３11を山折りして胴体に挿入すると組立が完了する。
【００１４】
図３は図２の状態から開箱し、前蓋片３3 の周囲三辺を切り離し、引手３31を使用して該前蓋片を傾け、図４は図３の状態から二重構造の左右の内側板６．８と内前板７の三面に跨がる内前蓋片７3 の引手７31を使用して、その内前蓋片を傾動して前記三面による引出しを前蓋片３3 と共に前傾し、引手７31を引手３31で挟むことにより、以後は前蓋片３3 と引出しが同時に動くことが可能な状態の斜視図を示した。また引き出しは袖片６3.８3 が左右の側板２．４と左右の内側板６．８と中折り込み板６2．８2 の三重構造の中の切り抜き部分を利用した空間を動くので扱い易い。
【００１５】
図５は図４の状態の断面図で、この状態の前蓋片３3 と前記引出しが底板５21の勾配との相乗効果により、箱内部に収納した包装体を最後まで取り出すことを可能とした。この引出しは袖片６3．８3 に形成した鍵６31．８31が、前板３の開口部上隅３4 に引き掛かかりストッパーとして働くので、飛び出し防止の役目を果たす。
【００１６】
閉箱は逆に進行すればよく、前蓋片３3 および内前蓋片７3 と袖片６3.８3 からなる引出しを原位置に戻して、前蓋片３3 の突部３32を内前板７の係止片７5（図３．４参照）で止めて組箱の開口部分を塞ぐので、組箱内部に残る包装体の開口部からの飛び出しと埃の入り込みがなく、引手３31．７31の使用で前蓋片と引出しの扱いが楽になり、二重構造で取り出し口が強化され開閉による破損が少なくなった。また組箱は組立が容易で接着部分の少ない構成のワンピースタイプとしたので、自動糊貼と自動組立を可能としたので、損紙と工数と部品点数の減少をもたらし、作業効率の向上と原価低減に寄与した。
【００１７】
【発明の効果】
本発明になる引き出しと底緩衝機能付組箱の使用により下記の効果を得た。
1)周囲三面を二重構造とし上げ底を備えたことにより箱の緩衝機能が大巾に向上した。
2)前蓋板を内前板に備えた係止片で押さえることにより、開封した後の開口部を塞ぎ、包装体の飛び出しと埃の進入を防止した。
3)箱内部に収納した最後の包装体を勾配付の底により取り出すことが出来るようになった。
4)引出しの袖片に設けた鍵により引出しの抜け出しが防止出来た。
5)板紙に展開した組箱の構成は、損紙と工数と部品点数を減らし、自動糊貼と自動組立を容易とし、その結果、関連する管理業務の工数を減らし、作業効率の向上と原価低減に寄与した。
【図面の簡単な説明】
【図１】 引き出しと底緩衝機能付組箱の展開図である。
【図２】 開箱前の本組箱の外観の斜視図である。
【図３】 図２の状態から開箱し前蓋片を開いた状態の斜視図である。
【図４】 図３の状態から引き出しを傾動した状態の斜視図である。
【図５】 図４の状態の断面図である。
【符号の説明】
１ 組箱
２．４ 左右側板
２1．２2．４1．４2 中蓋板
３ 前板
３1.３2 蓋板
３11． ３21 差し込み板
３3 前蓋片
３31． ７31 引手
３32 突部
３4 上隅
５ 後ろ板
５2 後ろ折り込み板
５21 底板
５211 前折り込み片
５21A．５21B 側折り込み片
６．８ 左右の内側板
６2．８2 中折り込み板
６3．８3 袖片
６4．８4 切り抜き
６31．８31 鍵
７ 内前板
７3 内前蓋片
７4 開口
７5 係止片
【図１】
0004105283.tif 000002
【図２】
0004105283.tif 000003
【図３】
0004105283.tif 000004
【図４】
0004105283.tif 000005
【図５】
0004105283.tif 000006